(57)【要約】【課題】（１）チャック付きのカードケースは、チャックのところで凸凹が生じるため、カードケースの厚みが部位によって違ってきて、積層することが難しい。（２）カードの交換の度にチャックの開閉を必要とし、作業者によるカードの交換が煩雑となる。（３）カードケースにチャックを設けなければならないため、製造に手間がかかり、コスト削減に制限がある。【解決手段】カードケース１について、図１〜図７を参照して説明する。カードケース１は、第１シート２と第２シート３とが積み重ねられ、隙間Ｓが設けられ、溶着された周縁４を有する、透光性樹脂製の基材５と、第１シート２のいずれか一方の長辺の端部領域に長手方向のスリット６を有する。スリット６は、第１シート２及び第２シート３の主面と垂直な第１垂直面６１と、第１垂直面６１と所定間隔δを隔てて対向するとともに、第１シート２及び第２シート３の主面と垂直な第２垂直面６２を有する。【選択図】図１
2020128015.tif 000002
【特許請求の範囲】
【請求項１】
第１シートと第２シートとが積み重ねられ、溶着又は接着された周縁を有する、少なくとも前記第１シート又は第２シートが透光性樹脂製の基材と、
前記第１シート又は第２シートのいずれか一方の長辺の端部領域に長手方向のスリット、又は、前記第１シート又は第２シートのいずれか一方の短辺の端部領域に短手方向のスリットを有し、該スリットは、第１垂直面と、該第１垂直面と対向する第２垂直面を有することを特徴とするカードケース。
【発明の詳細な説明】
【技術分野】
【０００１】
本発明は、例えばコンテナ内に収められた製品の種類や生産進捗状況などの情報を記載したカードを封入するためのカードケースに関するもので、特に塩化ビニル樹脂、オレフィン樹脂等によって製造されるこれらのカードケースは、片面にあたる第一層面ともう一方の面にあたる第二層面とで構成される。これらのカードケースは、チャックまたはジッパが取り付けられることにより、封緘機能が付与される形状のものが一般的である。
【背景技術】
【０００２】
カードケースは、例えば、組み立て工場、配送場等の分野で利用され、そこでは、工程間及び工場間における製品あるいは半製品の情報流通に適用されることが多い。力一ドを同函するためのホルダーとしてのカードケースは、種類が多く、また数量も多数消費されている。非特許文献１に示す通り、カードが外部に飛び出さないように、チャック（またはファスナー）を取り付けてあり、チャックを開けて、カードケースの中にカードを入れて再封する。カードに記載された情報が社内社外を通じて、製品の完成に至るまで工程について回るという仕組みになっている。このカードケースは繰り返し再利用でき、捨てるまで使える利点がある。
【０００３】
他の代表例としては、基材の裏側に予め粘着層が糊引きされた例が挙げられるが、説明は省略する。
【先行技術文献】
【非特許文献】
【０００４】
【非特許文献１】http://www.amuko.co.jp/products/tutaeru.html
【発明の概要】
【発明が解決しようとする課題】
【０００５】
しかしながら、チャック付きのカードケースの短所としては次がある。（１）チャック付きのカードケースは、チャックのところで、凸凹が生じるため、カードケースの厚みが部位によって違ってきて、積層することが難しいとの問題がある。（２）カードの交換の度にチャックの開閉を必要とし、作業者によるカードの交換が煩雑となる問題がある。（３）カードケースにチャックを設けなければならないため、製造に手間がかかる問題があり、コスト削減に制限がある。
【課題を解決するための手段】
【０００６】
そこで、本発明者は、上記課題を解決するため、格別の構造のスリットを見出し、本発明に至った。
【０００７】
本発明は、第１シートと第２シートとが積み重ねられ、溶着又は接着された周縁を有する、少なくとも前記第１シート又は第２シートが透光性樹脂製の基材と、前記第１シート又は第２シートのいずれか一方の長辺の端部領域に長手方向のスリット、又は、前記第１シート又は第２シートのいずれか一方の短辺の端部領域に短手方向のスリットを有し、該スリットは、第１垂直面と、該第１垂直面と対向する第２垂直面を有することを特徴とするカードケースである。
【０００８】
本発明は、溶着又は接着された周縁を有する。例えば、平行する一対の縁、及び、垂直な一対の縁を有する。第１シート、第２シートとも透光性樹脂によって構成されてもよいが、いずれか一方のシートが非透光性でもよい。第１シート及び第２シートは表側主面、裏側主面、これと垂直な４つの端面から構成される。
【０００９】
基材は矩形が基本形ではあるが、形状は用途に応じて適宜変更が可能である。
【００１０】
透光性樹脂製は、塩化ビニル樹脂、ポリエチレン樹脂等が挙げられる。樹脂は硬質又は軟質いずれでもよい。
【００１１】
カードケースの溶着又は接着された縁部は、高周波、超音波、熱プレス、ヒートシール、接着、粘着等の適宜手段によって設けられる外寸法である。周縁の大きさは適宜設定され得る。全体寸法の大きさは適宜設定され得る。
【００１２】
前記第１シート又は第２シートのいずれか一方の長辺の端部領域に長手方向のスリット、又は、前記第１シート又は第２シートのいずれか一方の短辺の端部領域に短手方向のスリットを有し、該スリットは、第１垂直面と、該第１垂直面と対向する第２垂直面を有することを特徴とする。
【発明の効果】
【００１３】
（１）カードケースの使用中、第１垂直面でカードの端部をブロックするので、カードケースのスリットからの脱落を有効に防止できる。（２）カードケースにチャックがないため、基材には凸凹がなく、積層が可能である。（３）カードの交換はスリットからの抜き差しによるので、チャックの開閉が不要となり、作業者によるカードの交換が容易となる。（４）カードケースにチャックがないため、製造に手間がかからず、大幅なコスト削減が容易である。
【図面の簡単な説明】
【００１４】
【図１】本発明実施形態１のカードケースの正面図である。
【図２】（ａ）は同じくカードケースの左側面図、（ｂ）は同じくカードケースの平面図である。
【図３】図１のＡ−Ａ断面図である。
【図４】図１のＢ−Ｂ断面図である。
【図５】図４のＣ−Ｃ拡大図である。
【図６】本発明実施形態のカードケースにカードを入れた使用状態参考正面図である。
【図７】図６のＥ−Ｅ断面図である。
【図８】本発明実施形態２のカードケースの正面図である。
【発明を実施するための形態】
【００１５】
本発明の実施形態１のカードケース１について、図１〜図７を参照して説明する。カードケース１は、第１シート２と第２シート３とが積み重ねられ、隙間Ｓが設けられ、溶着された周縁４を有する、透光性樹脂製の基材５と、第１シート２のいずれか一方の長辺の端部領域に長手方向のスリット６を有する。スリット６は、図７に示す通り、第１シート２及び第２シート３の主面と垂直な第１垂直面６１と、第１垂直面６１と所定間隔δを隔てて対向するとともに、第１シート２及び第２シート３の主面と垂直な第２垂直面６２を有することを特徴とする。本実施形態のカードケース１をいわゆるカンバン方式に適用される例として説明する。
【００１６】
カードケース１の厚みTは０．１ｍｍ〜２ｍｍが好ましい。スリット６の所定間隔δは、０〜３、特に、０〜２ｍｍが好ましい。カードケース１の材料は合成樹脂製が好ましい。形状は基本的に長方形であるが、他の形状でも採用可能である。カードケース１の全部又は一部を着色してもよい。着色の場所は、上部下部どちらでもよい。
【００１７】
第１シート２はスリット６により、上部２１と下部２２とに分割されている。上部２１の高さＨ１は、下部２２の高さＨ２より小さく設定される。上部２１の高さＨ１と、下部２２の高さＨ２の比率は適宜設定ができる。上部２１の高さ１０ｍｍ、下部２２の高さは７０ｍｍが例示される。高さＨ１、Ｈ２の範囲は１０ｍｍ〜５００ｍｍが好ましい。第１シート２は表側主面、裏側主面、これと垂直な４つの端面から構成される。
【００１８】
スリット６の中央部には上方に突出する切り欠き部７を備えている。切り欠き部７の形状は適宜設定できるが、ここでは、上方に突出する弧状とする。カード９のスリット６からの出し入れを円滑にするためである。
【００１９】
第２シート３は四角形であり、スリット６は存在しないが、スリットを追加で設けてもよい。例えば、スリット６とは反対側の長辺の端部領域に設けてもよい。第２シート３は表側主面、裏側主面、これと垂直な４つの端面から構成される。
【００２０】
第１シート２と第２シート３の厚みは、同一でも相違した値でもよい。ここでは厚み０．３ｍｍのシートであるが、０．２〜０．４ｍｍの範囲で適宜設定が可能である。第１シート２と第２シートの両方とも梨地でもよいし、片方でもよいし、両方とも梨地でなくてもよい。第１シート２と第２シートは、硬質と軟質の合成樹脂を適宜採用できる。両方とも硬質の場合、よい効果がでることがある。
【００２１】
本発明実施形態のカードケース１の使用方法を説明する。切り欠き部７またはスリット６に指を掛けて、上部２１を持ち上げると、隙間Ｓが拡開し、カード９をスリット６から滑り込ませるようにして挿入し、上部２１から指を離すと、カード９が隙間Ｓに収容され、第１シート２と第２シート３によって押し付けられる。
【００２２】
図７に示す通り、カードケース１をカンバン方式に適用すると、使用中に、カード９が外に出ようとしても、第１垂直面６１がカード９の先端部をブロックするので、カード９がカードケース１の内部に安定して収容される。
【００２３】
カード９を抜き取る場合は、切り欠き部７またはスリット６に指を掛けて、上部２１を持ち上げると、隙間Ｓが拡開し、カード９をスリット６から滑らせるように取り外し、上部２１から指を離すと、第１シート２と第２シート３が元の状態に戻る。
【００２４】
カードケース１の製造方法を説明する。スリットと切り欠き部は２枚の材料シートのいずれかにあらかじめ設けてある。２枚の材料シートを合わせて、焼き切り刃で形状を抜いてゆき、材料シートを高周波で貼り合わせる。機械は簡単なプレス機と高周波のウェルダーを用いる。自動機にかければ簡単に大量生産できる。
【００２５】
カードケース１の上部又は下部又は全体に対し、カードケース１を構成する材料であるシートやフィルムに予め印刷やラベルシールを添付したものを用いることでカードケース１の製造の際に同時に表示内容を不可離な状態で製品系内に紛れ込ませることができる。これにより、目視によるカードケース１が示す情報内容の種類分けが必要とされる場面において、それに対する表現を容易にする。また、従来の着色されたチャック（またはジッパを用いた形状のもの）に比し種類分けの表現の幅が限定的なものから非限定的なものへと向上する。
【００２６】
以上説明したカードケース１は、（１）カードケース１の使用中、第１垂直面６１でカード９の端部をブロックするので、第１垂直面６１がストッパとして機能し、カード９のスリット６からの脱落を有効に防止できる。（２）カードケース１にチャックがないため、表面には凸凹がなく、積層が可能である。（３）カード９の交換に際して、スリット６からの抜き差しによるので、チャックの開閉が不要となり、作業者によるカード９の交換が容易となる。（４）カードケース１にチャックがないため、製造に手間がかからず、大幅なコスト削減が容易である。
【００２７】
本発明実施形態２のカードケース２０１は、図９に示す通り、第１シート２のいずれか一方の短辺の端部領域に短手方向のスリット２０６を設けたものである。基本的には実施形態１と同様であるので、番号は２００番台とし、説明は援用する。
【産業上の利用可能性】
【００２８】
本発明は、いわゆるカンバン方式等に適用することで、生産性の向上に貢献することが出来る。
【符号の説明】
【００２９】
１，２０１・・・カードケース
２・・・第１シート
３・・・第２シート
Ｓ・・・隙間
４・・・周縁
５・・・基材
６・・・スリット
６１・・・第１垂直面
δ・・・所定間隔
６２・・・第２垂直面
T・・・厚み
２１・・・上部
２２・・・下部
７・・・切り欠き部
９・・・カード
【図１】
2020128015.tif 000003
【図２】
2020128015.tif 000004
【図３】
2020128015.tif 000005
【図４】
2020128015.tif 000006
【図５】
2020128015.tif 000007
【図６】
2020128015.tif 000008
【図７】
2020128015.tif 000009
【図８】
2020128015.tif 000010